(57)【要約】      （修正有）【課題】通常の飲料保存の他に、茶類の濾過、或いはココアやコーヒー等の攪拌を１個のポットでできることを見いだし、本考案の多機能ポットを提供する。【解決手段】通常の飲料水を保存する時は蓋をすることによって容易に保存可能であり、お茶類を入れて湯通しする場合には茶こし部を取付け用本体部に嵌合し、コーヒーやココア類を入れて攪拌溶解する場合には粉末を入れた後に攪拌蓋を取付け用本体部に嵌合した上で、別途用意した攪拌棒で攪拌する。【選択図】図１
0003112741.tif 000002
【実用新案登録請求の範囲】
【請求項１】
上端部に注ぎ口と背面部に把手を有する縦長状ポットであって、該ポットの上端開口部に嵌合脱着可能な開口棚部を有する取付け用本体部と、該本体部の開口棚部に嵌合脱着可能な円筒状茶こし部と、該茶こし部上から前記取付け用本体部の棚部に設けた孔部に勘合する舌部を有する摘み付き蓋部とから構成され、前記茶こし部に茶類を入れて茶こしを行うことを特徴とする多機能ポット。
【請求項２】
前記取付け用本体部は、前記ポットの上端部に嵌合脱着可能な上縁部と該ポット注ぎ口に相対峙する位置に逆半円状の窪み部とを有し、該縁部と窪み部内面から下方に延びる側部と、該側部から水平方向に延びて開口部を形成する棚部と、前記窪み部下部と連接する棚部の一部に設けた開口部とを一体成形してなることを特徴とする請求項１記載の多機能ポット。
【請求項３】
上端部に注ぎ口と背面部に把手を有する縦長状ポットであって、上端開口部に嵌合脱着可能な開口棚部を有する取付け用本体部と、該本体部の開口棚部に嵌合脱着可能な開口部を有する攪拌用蓋部とから構成され、前記蓋部開口部から攪拌棒で内部の粉末を攪拌することを特徴とする多機能ポット。
【請求項４】
前記攪拌用蓋部は、本体部が半円錐状体であって中央部に折り曲げ部を有する開口部と、本体底面には前記取付け用本体部の開口棚部側面と接触可能な円環状突起部を有し、攪拌時の粉末溶液が飛散することを防止することを特徴とする請求項３記載の多機能ポット。
【考案の詳細な説明】
【技術分野】
【０００１】
本考案は、通常の縦長ポットに保存機能と茶こし機能と攪拌機能とを付加した新規な多機能ポットを提供するものである。
【背景技術】
【０００２】
通常の縦長ポットは、縦長状のポット本体内部に飲料や湯沸かしした茶類を入れて蓋をすることでいつでも飲料可能としているが、ポット自体を利用して他の用途として使用することはなかった。
【０００３】
またお茶を飲むときには急須内で直接に、或いは茶こしを急須の入口に取付けて茶液のみを注ぐことも公知であり、茶葉類を茶こし内で濾過して葉類と液体とを分離することは一般に行われている。
【０００４】
類似形状の容器を利用して、容器内部の液体調味料と香味野菜とを容器本体内でつけ込んだ後の調味料のみを濾過する調味入れとして、特開２０００−１８４９５２号「濾過機構付き液体調味料入れおよび濾過器」は、「液体調味料入れ本体の内面上部縁回りに、凸部を複数設け、中蓋及び濾過器に網を内接し、注ぎ口を設けた濾過機能付き液体調味料入れ」が開示され、容器本体内部に濾過機構を付設することは公知となっている。
【特許文献１】特開２０００−１８４９５２号
【考案の開示】
【考案が解決しようとする課題】
【０００５】
しかしながら上記液体調味料入れの場合、調味料に入れて香味野菜を浸漬する場合には相当時間の浸漬を行わなければならず、またできるだけ空気の酸化を防ぐために注ぎ口を小さくする等の配慮が必要であった。
【０００６】
１個の本体容器を利用して他種類の用途に使用できるようなポットの開発が望まれていたが、保存機能と濾過機能とを併せ持つ容器は知られたいたが攪拌することによってコーヒーやココア等の飲料も併せて飲料可能な容器の開発が望まれていた。
【課題を解決するための手段】
【０００７】
本考案者は、斯かる課題を解決するために鋭意研究したところ、ポット本体上端部を利用して茶こし部や攪拌用蓋体を嵌合脱着可能な取付用本体部を用いることによって、通常の飲料保存の他に、茶類の濾過、或いはココアやコーヒー等の攪拌を１個のポットでできることを見いだし、本考案の多機能ポットを提供するものである。
【０００８】
すなわち本考案の第一は、上端部に注ぎ口と背面部に把手を有する縦長状ポットであって、該ポットの上端開口部に嵌合脱着可能な開口棚部を有する取付け用本体部と、該本体部の開口棚部に嵌合脱着可能な円筒状茶こし部と、該茶こし部上から前記取付け用本体部の棚部に設けた孔部に勘合する舌部を有する摘み付き蓋部とから構成され、前記茶こし部に茶類を入れて茶こしを行うことを特徴とする多機能ポットである。
【０００９】
本考案の第二は、前記取付け用本体部は、前記ポットの上端部に嵌合脱着可能な上縁部と該ポット注ぎ口に相対峙する位置に逆半円状の窪み部とを有し、該縁部と窪み部内面から下方に延びる側部と、該側部から水平方向に延びて開口部を形成する棚部と、前記窪み部下部と連接する棚部の一部に設けた開口部とを一体成形してなることを特徴とする請求項１記載の多機能ポットである。
【００１０】
本考案の第三は、上端部に注ぎ口と背面部に把手を有する縦長状ポットであって、上端開口部に嵌合脱着可能な開口棚部を有する取付け用本体部と、該本体部の開口棚部に嵌合脱着可能な開口部を有する攪拌用蓋部とから構成され、前記蓋部開口部から攪拌棒で内部の粉末を攪拌することを特徴とする多機能ポットである。
【００１１】
本考案の第四は、前記攪拌用蓋部は、本体部が半円錐状体であって中央部に折り曲げ部を有する開口部と、本体底面には前記取付け用本体部の開口棚部側面と接触可能な円環状突起部を有し、攪拌時の粉末溶液が飛散することを防止することを特徴とする請求項３記載の多機能ポットである。
【考案の効果】
【００１２】
本考案の多機能ポットは、通常の飲料水を保存する時は蓋をすることによって容易に保存可能であり、お茶類を入れて湯通しする場合には茶こし部を取付け用本体部に嵌合し、コーヒーやココア類を入れて攪拌溶解する場合には粉末を入れた後に攪拌蓋を取付け用本体部に嵌合した上で、別途用意した攪拌棒で攪拌することができるものである。
【００１３】
本考案の多機能ポットは、不使用時には取付け用本体部に茶こし部を嵌合載置し、次いで攪拌蓋を逆向きに茶こし部上に載置した後に蓋部を載置嵌合できる為に、ポット本体以外の保存場所をとる必要がないという効果を有する。
【考案を実施するための最良の形態】
【００１４】
以下、図面を参照して本考案の詳細を説明するが、本考案の範囲はこれらに限定されものではない。
【実施例１】
【００１５】
図１は、本考案の多機能ポットの外観全体を示す斜視図である。本考案の多機能ポット１は、把手３と注ぎ口４とを有する内径７．８ｃｍ、高さ１２ｃｍの樹脂製ポット本体２の上縁部に円形状の取付け用本体部７に球体状の蓋体摘み６を有する蓋体５が嵌合載置された外観を示している。
【００１６】
前記ポット本体２の上端部に嵌合脱着可能な円形状の取付け用本体部７は、図２から図４に示すように上縁部８にポット本体の注ぎ口４に相対峙する位置に逆半円状の窪み部９を有し、上縁部８と窪み部９内面から下方に延びる側部１０と、該側部１０から水平方向に延びて開口部１２を形成する棚部１１と、前記窪み部９下部と連接する棚部１１の一部に設けた小開口部１３と、側部１０に突起部１５を有する弾性片１４を４個を一体成形している。
【００１７】
この場合、弾性片１４に設けた突起部１５は、取付け用本体部７をポット本体２に嵌合載置したときにポット本体２内周面と接触して取付け用本体部７の内方向に押圧されて十二分に装着するようになっている。
【００１８】
図５は、前記取付け用本体部７に装着される茶こし部を示す斜視図である。この茶こし部１４は、外形６０ｍｍ、内径５２ｍｍの円形状上縁部１７と高さ７ｃｍ、厚み２ｍｍの円筒状本体であり、筒体の表裏面に約１ｍｍ径の孔からなる横４０ｍｍ、縦４５ｍｍの四角形状の小孔部１８を２面設け、本体底部のほぼ同一面にも約１ｍｍ径の孔からなる小孔部（図示せず）を設けている。
【００１９】
図６は、本考案の蓋体を示す平面図である。蓋体５は、外形６９ｍｍ、内径５６ｍｍの円形状の蓋体本体１９に、窪み部２１を設け、その窪み部下端部に舌部２０を設け、更に中心部に蓋体摘み６を取付けている。
【００２０】
本実施例でお茶類を湯通しする場合には、ポット本体２の上端部に取付け用本体部７を嵌合固着し、次いで取付け用本体部７の開口部１２内を茶こし部１４を底部から挿通して
茶こし部の上縁部１６の裏側が取付け用本体部７の棚部１１に載置されるので、定量のお茶を茶こし部１４内に入れてお湯を所定量注いだ後に、蓋体５の舌部２０を取付け用本体部７の小開口部１３に嵌め込み蓋をしてお茶出しをすることによって急須の役目を果たしている。
【００２１】
図８は、本考案の攪拌蓋を示す平面図である。攪拌蓋２３は、円形状縁部２４と該縁部から上方に延設し、中央部に略円形状の開口部２６を有する凸状部２５と、円形状縁部２４の底部から下方に延設する円形突起部２７とが一体成形されたものであり、該円形突起部２７が取付け用本体部７の開口部１２と脱着可能に嵌合される。
【００２２】
本実施例において、ココアやコーヒー等の粉末原料を攪拌溶解をする場合には、所定量の原料をポット本体２に入れた後、ポット本体２の上端部に取付け用本体部７を嵌合固着し、次いで取付け用本体部７の開口部１２に攪拌蓋２３の円形突起部２７を嵌合し、攪拌蓋の開口部から別途用意した攪拌棒（図示せず）をポット内部に挿入して攪拌するようにしている。
【００２３】
攪拌後は蓋体５の舌部２０を取付け用本体部７の小開口部１３に差込んで蓋をし、溶解した液体を注ぎ口４から注ぎ、或いは溶解後に冷却をする場合には、蓋をした状態で冷蔵庫に入れて冷やすことも可能である。
【００２４】
本考案の多機能ポットは、不使用時には取付け用本体部７に茶こし部１４を嵌合載置し、次いで攪拌蓋２３を逆向きに茶こし部１４上に載置した後に蓋体５の舌部２０を取付け用本体部７の小開口部１３に嵌め込み蓋をすると、舌部２０の基部が攪拌蓋２３の直線部２９の近傍に位置して蓋体５が閉まるように設計されている。
【図面の簡単な説明】
【００２５】
【図１】本考案の多機能ポットの外観全体を示す斜視図である。
【図２】本考案の取付け用本体部を示す斜視図である。
【図３】図２における平面図である。
【図４】図２におけるＡ矢視の取付け用本体部の正面図である。
【図５】本考案の茶こし部を示す斜視図である。
【図６】本考案の蓋体を示す平面図である。
【図７】図６におけるＢ矢視の正面図である。
【図８】本考案の攪拌蓋を示す平面図である。
【図９】図８におけるＣ矢視の正面図である。
【符号の説明】
【００２６】
１・・・多機能ポット
２・・・ポット本体
３・・・把手
４・・・注ぎ口
５・・・蓋体
６・・・蓋体摘み
７・・・取付け用本体部
８・・・上縁部
９・・・窪み部
１０・・側部
１１・・棚部
１２・・開口部
１３・・小開口部
１４・・茶こし部
１５・・茶こし部本体
１６・・上縁部
１７・・開口部
１８・・小孔部
１９・・蓋体本体
２０・・舌部
２１・・窪み部
２２・・側部
２３・・攪拌蓋
２４・・円形状縁部
２５・・凸状部
２６・・開口部
２７・・円形突起部
２８・・垂直部
２９・・直線部
【図１】
0003112741.tif 000003
【図２】
0003112741.tif 000004
【図３】
0003112741.tif 000005
【図４】
0003112741.tif 000006
【図５】
0003112741.tif 000007
【図６】
0003112741.tif 000008
【図７】
0003112741.tif 000009
【図８】
0003112741.tif 000010
【図９】
0003112741.tif 000011